(57)【要約】【課題】トイレ空間の拡大、使用のし易さ及び清掃性の向上を実現可能としつつ、清潔性及び製造性の向上も実現可能な洋風水洗式便器本体を提供する。【解決手段】洋風水洗式便器本体１は、台座２と、この台座２に保持されたボウル３と、このボウル３の上縁に形成されたリム４と、ボウル３の下端に接続されたトラップ５とを有している。リム４は、ボウル３の上端からボウル３の中心に向かって略水平に突出する水平部４ａと、この水平部４ａの先端から下方に屈曲する折り返し部４ｂとからなる。台座２、ボウル３、リム４及びトラップ５は一体に成形されている。前方においては、折り返し部４ｂは水平部４ａより短く、折り返し部４ｂの中心側の面４ｃは上方に向かうほど外方に広がるように傾斜している。【選択図】図１
2006233555.tif 000002
【特許請求の範囲】
【請求項１】
台座と、該台座に保持されたボウルと、該ボウルの上縁に形成されたリムと、該ボウルの下端に接続されたトラップとを有し、該リムは、該ボウルの上端から該ボウルの中心に向かって略水平に突出する水平部と、該水平部の先端から下方に屈曲する折り返し部とからなり、該台座、該ボウル、該リム及び該トラップが一体に成形されてなる洋風水洗式便器本体において、
前方においては前記折り返し部は前記水平部より短く、該折り返し部の中心側の面は上方に向かうほど外方に広がるように傾斜していることを特徴とする洋風水洗式便器本体。
【請求項２】
後方においては前記折り返し部は前方の前記水平部より長いことを特徴とする請求項１記載の洋風水洗式便器本体。
【請求項３】
前記ボウルの鉢面で洗浄水が旋回流を生じるものであることを特徴とする請求項１又は２記載の洋風水洗式便器本体。
【発明の詳細な説明】
【技術分野】
【０００１】
本発明は洋風水洗式便器本体に関する。
【背景技術】
【０００２】
従来、図７に示すように、特許文献１に従来の洋風水洗式便器本体９０が開示されている。この洋風水洗式便器本体９０は、台座９１と、この台座９１に保持されたボウル９２と、このボウル９２の上縁に形成されたリム９３と、ボウル９２の下端に接続され、ボウル９２に封水８１を形成しつつ汚物を封水８１とともに排出するトラップ９４とを有している。
【０００３】
リム９３は、ボウル９２の上端からボウル９２の中心に向かって略水平に突出する水平部９３ａと、水平部９３ａの先端から下方に屈曲する折り返し部９３ｂとからなる。
【０００４】
この洋風水洗式便器本体９０は、焼成によって台座９１、ボウル９２、リム９３及びトラップ９４となる各部分を一体にもつ成形体を排泥鋳込成形法等により成形した後、この成形体を乾燥、焼成することによって製造され得る。
【０００５】
かかる洋風水洗式便器本体９０の後方には、例えば便器洗浄タンク８２ａ、ディストリビュータ８２ｂ、パイプ８２ｃ等からなる便器洗浄装置８２、便座８３及び便蓋８４が搭載され、洋風水洗式便器とされる。洋風水洗式便器本体９０のリム９３は、水平部９３ａの上面によって便座８３の前方を支持し、便座８３の上面によって便蓋８４の前方が支持される。近年の便座８３及び便蓋８４は、図示しない温水タンク、ノズル等を有する局部洗浄装置とされている。
【０００６】
この洋風水洗式便器はトイレ室内で使用されることによって洋風水洗式便器本体９０のボウル９２が汚物を受ける。そして、便器洗浄装置８２によってリム９３内に洗浄水を吐出することにより、ボウル９２の鉢面が洗浄され、かつ汚物が封水８１とともにトラップ９４から排出される。この際、リム９３はその形状によって洗浄水を外部に飛散させない。そして、洗浄の後半において、トラップ９４がボウル９２に新たな封水８１を形成する。
【０００７】
【特許文献１】特開２０００−１３４７号公報の図２
【発明の開示】
【発明が解決しようとする課題】
【０００８】
しかし、上記洋風水洗式便器本体９０は、ボウル９２の開口を大きくし、これによって使用し易くしようとすると、トイレ室の空間を狭めたり、清掃性が劣るものとなったりしてしまう。
【０００９】
すなわち、ボウル９２は当然に鉢面が上方に向かうほど外方に広がるように傾斜していることから、ボウル９２自体の外形を水平方向に広げてしまうと、洋風水洗式便器本体９０が水平方向に大きくなり、トイレ室の空間が狭くなってしまう。一方、ボウル９２自体の外形を水平方向に広げることなく、リム９３の水平部９３ａの幅を可及的に短くしようとすると、この洋風水洗式便器本体９０はリム９３の折り返し部９３ｂが前方及び後方において前方の水平部９３ａより長くされていたため、リム９３の折り返し部９３ｂがボウル９２の鉢面に干渉したり、近づいてしまい、尿等がリム９３内に隠れ易く、清掃性が劣ることとなってしまう。
【００１０】
この点、特開２００１−３２３５４１号公報の図９に示すように、リムの折り返し部を水平部より短くすることも考えられる。こうすれば、ボウル自体の外形を水平方向に広げないことによりトイレ室の空間を広くしつつ、ボウルの開口を大きくするために水平部を可及的に短くしても、折り返し部がボウルの鉢面から遠ざかることとなり、使用のし易さと清掃性の向上とを実現できる。
【００１１】
しかしながら、同公報開示の洋風水洗式便器本体では、折り返し部の中心側の面が垂直になっており、その面を目視し難い。このため、その面に汚物が付着した場合にそれを見逃し易く、不潔になり易い。また、そのような洋風水洗式便器本体は、折り返し部を型から抜き難く、製造もし難い。
【００１２】
本発明は、上記従来の実情に鑑みてなされたものであって、トイレ空間の拡大、使用のし易さ及び清掃性の向上を実現可能としつつ、清潔性及び製造性の向上も実現可能な洋風水洗式便器本体を提供することを解決すべき課題としている。
【課題を解決するための手段】
【００１３】
本発明の洋風水洗式便器本体は、台座と、該台座に保持されたボウルと、該ボウルの上縁に形成されたリムと、該ボウルの下端に接続されたトラップとを有し、該リムは、該ボウルの上端から該ボウルの中心に向かって略水平に突出する水平部と、該水平部の先端から下方に屈曲する折り返し部とからなり、該台座、該ボウル、該リム及び該トラップが一体に成形されてなる洋風水洗式便器本体において、
前方においては前記折り返し部は前記水平部より短く、該折り返し部の中心側の面は上方に向かうほど外方に広がるように傾斜していることを特徴とする。
【００１４】
本発明の洋風水洗式便器本体では、前方においてもリムに折り返し部が存在することから、洗浄水が外部に飛散し難い。このため、リムの水平部の幅を短くすることができ、ボウルの開口を大きくして使用のし易さを実現することができる。また、この洋風水洗式便器本体では、前方おいては折り返し部が短いので、折り返し部がボウルの鉢面から遠ざかることとなり、使用のし易さと清掃性の向上とを実現できる。
【００１５】
また、この洋風水洗式便器本体では、折り返し部の中心側の面が上方に向かうほど外方に広がるように傾斜している。換言すれば、折り返し部の中心側の面が下方に向かうほど内方に狭まるように傾斜している。このため、その面を上方から目視し易く、仮に尿等がその面に付着したとしても、それを見逃し難く、清潔に保ち易い。さらに、この洋風水洗式便器本体は、折り返し部を型から抜き易く、製造もし易い。
【００１６】
したがって、本発明の洋風水洗式便器本体によれば、トイレ空間の拡大、使用のし易さ及び清掃性の向上を実現しつつ、清潔性及び製造性の向上も実現することができる。
【００１７】
また、本発明の洋風水洗式便器本体では、水平部を可及的に短くできるため、一体成形がより一層容易になり、コストダウンを実現することも可能である。さらに、この洋風水洗式便器本体は、水平部が短いことにより上面が垂下し難く、便座等を安定して支持することができる。
【００１８】
本発明において、前方とは、洋風水洗式便器本体を上方から見た場合、リムの水平部がほぼ等しい幅になっている部分をいう。
【００１９】
折り返し部の中心側の面は、垂直に対して、５〜３０°の範囲で傾斜していることが好ましい。５°より小さく傾斜しているだけでは、本発明の効果が得られ難く、３０°を超えて傾斜していると、ボウルの開口を狭くして使用し難くなってしまうからである。
【００２０】
後方においては折り返し部は前方の水平部より長いことが好ましい。洋風水洗式便器本体の後方には便器洗浄タンク、パイプ等からなる便器洗浄装置が設けられ、そのパイプを折り返し部によって隠蔽した方が汚れ難く、かつ優れた外観を呈するからである。
【００２１】
本発明において、後方とは、洋風水洗式便器本体を上方から見た場合、リムの水平部がほぼ等しい幅になっている部分より後方をいう。
【００２２】
本発明の洋風水洗式便器本体は、ボウルの鉢面で洗浄水が旋回流を生じるものであることが好ましい。この洋風水洗式便器本体は水平部を可及的に短くできるものであり、こうして水平部を短くしても、この場合、洗浄水の旋回流によってリムが洗浄水を外部に飛散させない。
【００２３】
ボウルの鉢面で洗浄水が旋回流を生じるようにするためには、リム内に洗浄水が両方向から吐出される場合、便器洗浄タンク等からディストリビュータで両側のパイプに洗浄水を左右で差を有して分配させることができる。ディストリビュータによって左右の分配量に差を設ければ、分配量の多い一方側の洗浄水によってボウルの鉢面に旋回流を生じさせつつ、一方側だけの吐出では十分に洗浄できない部分を分配量の少ない他方側の洗浄水によって洗浄することができる。
【００２４】
また、ボウルの鉢面で洗浄水が旋回流を生じるようにするため、リム内に洗浄水が一方向から吐出されるためのものであることもできる。この場合、一方側の洗浄水によってボウルの鉢面に旋回流を生じさせ、リムが洗浄水を外部に飛散させない。
【発明を実施するための最良の形態】
【００２５】
以下、本発明を具体化した実施例１〜３を図面を参照しつつ説明する。
【実施例１】
【００２６】
実施例１の洋風水洗式便器本体１は、図１及び図２に示すように、台座２と、この台座２に保持されたボウル３と、このボウル３の上縁に形成されたリム４と、ボウル３の下端に接続され、ボウル３に封水８１を形成しつつ汚物を封水８１とともに排出するトラップ５とを有している。
【００２７】
リム４は、図４に示すように、ボウル３の上端からボウル３の中心に向かって略水平に突出する水平部４ａと、水平部４ａの先端から下方に屈曲する折り返し部４ｂとからなる。
【００２８】
図２及び図４に示すように、洋風水洗式便器本体１を上方から見た場合、リム４の前方の水平部４ａは等しい幅ｗ１（３０ｍｍ）になっている。図４に示すように、水平部４ａの上面は略水平になっている。この前方において、折り返し部４ｂは、水平部４ａの上面からＬ１（１４ｍｍ）、水平部４ａの下面からＬ２（５ｍｍ）の位置まで突出している。このように、折り返し部４ｂは水平部４ａの幅の半分以下であることが好ましい。こうして、前方において、折り返し部４ｂは水平部４ａより短くされている。一方、図１に示すように、後方において、折り返し部４ｂは前方の水平部４ａより長くされている。
【００２９】
また、図４に示すように、折り返し部４ｂの中心側の面４ｃは、垂直に対し、上方に向かうほど外方に広がるようにθ１（８°）傾斜している。
【００３０】
この洋風水洗式便器本体１は以下のように製造した。まず、図３に示すように、吸水性のある上型５１及び下型５２を用意し、排泥鋳込成形法を行う。そして、上型５１及び下型５２を型開きし、成形体１ａを得る。この型開きの際、成形体１ａは、折り返し部４ｂになる部分が傾斜していることから、上型５１を容易に抜くことができる。この後、折り返し部４ｂになる部分を残した残余Ｙを図中のＣ面で切断する。Ｃ面は、成形体１ａを焼成することにより、折り返し部４ｂが上記の関係になるように設定する。こうして得られた成形体１ａは、焼成によって台座２、ボウル３、リム４及びトラップ５となる各部分を一体に有している。また、この成形体１ａでは、水平部４ａになる部分を可及的に短くしているため、一体成形が容易であり、コストダウンを実現している。そして、この成形体１ａを乾燥、焼成し、洋風水洗式便器本体１を製造した。この際、水平部４ａが短いため、水平部４ａの上面が垂下し難い。
【００３１】
かかる洋風水洗式便器本体１の後方には、図１及び図２に示すように、ディストリビュータ８２ｂが搭載され、ディストリビュータ８２ｂにはリム４内に洗浄水を両方向から吐出するパイプ８２ｃ、８２ｄが接続される。ディストリビュータ８２ｂは、パイプ８２ｄに大量の洗浄水を吐出させ、パイプ８２ｃに少量の洗浄水を吐出させるように、分配量に差を有している。また、図示しない便器洗浄タンク等が搭載され、洋風水洗式便器とされる。他の構成は従来のものと同様である。
【００３２】
この洋風水洗式便器はトイレ室内で使用されることによって洋風水洗式便器本体１のボウル３が汚物を受ける。そして、便器洗浄タンク等からディストリビュータ８２ｂでパイプ８２ｃ、８２ｄに洗浄水を分配する。ここで、ディストリビュータ８２ｂによってパイプ８２ｃ、８２ｄの分配量に差を設けているため、パイプ８２ｄから吐出される洗浄水によってボウル３の鉢面に旋回流を生じさせつつ、パイプ８２ｄだけの吐出では十分に洗浄できない部分をパイプ８２ｃから吐出する洗浄水によって洗浄することができる。この洋風水洗式便器本体１は水平部４ａを可及的に短くできるものであり、こうして水平部４ａを短くしても、パイプ８２ｄ側の洗浄水によって生じる旋回流によってリム４が洗浄水を外部に飛散させない。こうして、ボウル３の鉢面が洗浄され、かつ汚物が封水８１とともにトラップ５から排出される。そして、洗浄の後半において、トラップ５がボウル３に新たな封水８１を形成する。
【００３３】
また、この洋風水洗式便器における洋風水洗式便器本体１では、前方においてもリム４に折り返し部４ｂが存在することから、洗浄水が外部に飛散し難い。このため、リム４の水平部４ａの幅を短くすることができ、ボウル３の開口を大きくして使用のし易さを実現することができる。また、この洋風水洗式便器本体では、前方おいては折り返し部４ｂが短いので、折り返し部４ｂがボウル３の鉢面から遠ざかることとなり、使用のし易さと清掃性の向上とを実現できる。
【００３４】
さらに、この洋風水洗式便器本体１では、折り返し部４ｂの面４ｃが上方に向かうほど外方に広がるように傾斜しているため、その面４ｃを上方から目視し易く、仮に尿等がその面４ｃに付着したとしても、それを見逃し難く、清潔に保ち易い。
【００３５】
したがって、この洋風水洗式便器本体１によれば、トイレ空間の拡大、使用のし易さ及び清掃性の向上を実現しつつ、清潔性及び製造性の向上も実現することができる。
【００３６】
また、この洋風水洗式便器本体１は、リム４の水平部４ａの上面が水平に形成され易いため、便座等を安定して支持することができる。
【００３７】
さらに、この洋風水洗式便器本体１においては、後方において、折り返し部４ｂが前方の水平部４ａより長いため、便器洗浄装置８２のパイプ８２ｂ等を折り返し部４ｂによって隠蔽でき、パイプ８２ｂ等を汚し難く、かつ優れた外観を呈することができる。
【実施例２】
【００３８】
実施例２の洋風水洗式便器本体１１は、図５に示すように、リム１４の折り返し部１４ｂの中心側の面１４ｃが垂直に対して上方に向かうほど外方に広がるようにθ２（２６°）傾斜している。他の構成は実施例１と同一であり、同一の構成については同一の符号を付して詳細な説明を省略する。
【００３９】
この洋風水洗式便器本体１１においても、実施例１のものと同様の作用効果を奏することができる。
【実施例３】
【００４０】
実施例３の洋風水洗式便器本体２１は、図６に示すように、リム４内に洗浄水を一方向から吐出するパイプ８２ｃだけがディストリビュータ８２ｂに接続されている。他の構成は実施例１又は実施例２と同一であり、同一の構成については同一の符号を付して詳細な説明を省略する。
【００４１】
この洋風水洗式便器本体２１においては、パイプ８２ｃによる一方側の洗浄水によってボウル３の鉢面に旋回流を生じさせ、リム４が洗浄水を外部に飛散させない。他の作用効果は実施例１のものと同様である。
【００４２】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００４３】
本発明は洋風水洗式便器に利用可能である。
【図面の簡単な説明】
【００４４】
【図１】実施例１の洋風水洗式便器本体の縦断面図である。
【図２】実施例１の洋風水洗式便器本体の平面図である。
【図３】実施例１の洋風水洗式便器本体の成形体等を示す拡大断面図である。
【図４】実施例１の洋風水洗式便器本体に係り、その要部拡大断面図である。
【図５】実施例２の洋風水洗式便器本体に係り、その要部拡大断面図である。
【図６】実施例３の洋風水洗式便器本体の平面図である。
【図７】従来の洋風水洗式便器本体の縦断面図である。
【符号の説明】
【００４５】
１、１１、２１…洋風水洗式便器本体
２…台座
３…ボウル
４…リム
５…トラップ
４ａ…水平部
４ｂ…折り返し部
４ｃ…中心側の面
【図１】
2006233555.tif 000003
【図２】
2006233555.tif 000004
【図３】
2006233555.tif 000005
【図４】
2006233555.tif 000006
【図５】
2006233555.tif 000007
【図６】
2006233555.tif 000008
【図７】
2006233555.tif 000009